(57)【要約】【課題】より快適なエアマットレスを提供する。【解決手段】実施形態によれば、エアマットレスは、エアセル部、第１サイドエッジ部及び第１ポンプ部を含む。前記エアセル部は、第１方向に沿って並ぶ複数のエアセルを含む。前記第１サイドエッジ部は、高分子発泡体を含む。前記第１サイドエッジ部から前記エアセル部の第１部分への方向は、前記第１方向と交差する第２方向に沿う。前記第１ポンプ部は、前記複数のエアセルの少なくとも一部の給排気を行う。前記第１ポンプ部から前記エアセル部の第２部分への方向は、前記第２方向に沿う。前記第１サイドエッジから前記第１ポンプ部への方向は、前記第１方向に沿う。【選択図】図１
2020110455.tif 000002
【特許請求の範囲】
【請求項１】
第１方向に沿って並ぶ複数のエアセルを含むエアセル部と、
高分子発泡体を含む第１サイドエッジ部であって、前記第１サイドエッジ部から前記エアセル部の第１部分への方向は、前記第１方向と交差する第２方向に沿う、前記第１サイドエッジ部と、
前記複数のエアセルの少なくとも一部の給排気を行う第１ポンプ部であって、前記第１ポンプ部から前記エアセル部の第２部分への方向は、前記第２方向に沿い、前記第１サイドエッジから前記第１ポンプ部への方向は、前記第１方向に沿う、前記第１ポンプ部と、
を備えたエアマットレス。
【請求項２】
高分子発泡体を含む第２サイドエッジ部をさらに備え、
前記第１部分は、前記第２方向において、前記第１サイドエッジ部と、前記第２サイドエッジ部の第３部分と、の間にあり、
前記第２部分は、前記第２方向において、前記第１ポンプ部と、前記第２サイドエッジ部の第４部分と、の間にある、請求項１記載のエアマットレス。
【請求項３】
高分子発泡体を含む第２サイドエッジ部と、
前記複数のエアセルの少なくとも一部の給排気を行う第２ポンプ部と、
を備え、
前記第１部分は、前記第２方向において、前記第１サイドエッジ部と前記第２サイドエッジ部との間にあり、
前記第２部分は、前記第２方向において、前記第１ポンプ部と前記第２ポンプ部との間にあり、
前記第２サイドエッジ部から前記第２ポンプ部への方向は、前記第１方向に沿う、請求項１記載のエアマットレス。
【請求項４】
前記第２サイドエッジ部は、複数の第２サイドエッジ要素を含み、
複数の第２サイドエッジ要素の２つの互いの角度は、変更可能である、請求項２または３に記載のエアマットレス。
【請求項５】
前記第１サイドエッジ部は、複数の第１サイドエッジ要素を含み、
複数の第１サイドエッジ要素の２つの互いの角度は、変更可能である、請求項１〜４のいずれか１つに記載のエアマットレス。
【請求項６】
前記複数のエアセルの前記少なくとも一部と前記第１ポンプとを接続するチューブをさらに備え、
前記チューブの少なくとも一部は、前記第１サイドエッジ部の中を通過する、請求項１〜５のいずれか１つに記載のエアマットレス。
【請求項７】
前記複数のエアセルの前記少なくとも一部と前記第１ポンプとを接続するチューブをさらに備え、
前記第１サイドエッジ部は凹部を含み、
前記チューブの少なくとも一部は、前記凹部の中にある、請求項１〜６のいずれか１つに記載のエアマットレス。
【発明の詳細な説明】
【技術分野】
【０００１】
本発明の実施形態は、エアマットレスに関する。
【背景技術】
【０００２】
エアセルを用いたエアマットレスがある。エアマットレスにおいて、より快適なことが望まれる。
【先行技術文献】
【特許文献】
【０００３】
【特許文献１】特開２０１１−１６０８９４号公報
【発明の概要】
【発明が解決しようとする課題】
【０００４】
本発明の実施形態は、より快適なエアマットレスを提供する。
【課題を解決するための手段】
【０００５】
実施形態によれば、エアマットレスは、エアセル部、第１サイドエッジ部及び第１ポンプ部を含む。前記エアセル部は、第１方向に沿って並ぶ複数のエアセルを含む。前記第１サイドエッジ部は、高分子発泡体を含む。前記第１サイドエッジ部から前記エアセル部の第１部分への方向は、前記第１方向と交差する第２方向に沿う。前記第１ポンプ部は、前記複数のエアセルの少なくとも一部の給排気を行う。前記第１ポンプ部から前記エアセル部の第２部分への方向は、前記第２方向に沿う。前記第１サイドエッジから前記第１ポンプ部への方向は、前記第１方向に沿う。
【発明の効果】
【０００６】
本発明の実施形態は、より快適なエアマットレスを提供できる。
【図面の簡単な説明】
【０００７】
【図１】図１は、第１実施形態に係るエアマットレスを例示する模式的斜視図である。
【図２】図２は、第１実施形態に係るエアマットレスを例示する模式的斜視図である。
【図３】図３は、第２実施形態に係るエアマットレスを例示する模式的斜視図である。
【図４】図４は、第２実施形態に係るエアマットレスの使用状態を例示する模式的側面図である。
【図５】図５は、第３実施形態に係るエアマットレスを例示する模式的斜視図である。
【図６】図６（ａ）〜図６（ｄ）は、第４実施形態に係るエアマットレスの一部を例示する模式的斜視図である。
【発明を実施するための形態】
【０００８】
以下に、本発明の実施形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００９】
（第１実施形態）  
図１及び図２は、第１実施形態に係るエアマットレスを例示する模式的斜視図である。  図１に示すように、実施形態に係るエアマットレス１１０は、エアセル部１０、第１サイドエッジ部２１及び第１ポンプ部３１を含む。この例では、第２サイドエッジ部２２がさらに設けられている。
【００１０】
図２においては、図を見やすくするために、第１サイドエッジ部２１及び第２サイドエッジ部２２を除去した状態が例示されている。
【００１１】
図１に示すように、エアセル部１０は、複数のエアセル１１を含む。複数のエアセル１１は、第１方向に沿って並ぶ。
【００１２】
第１方向をＸ軸方向とする。Ｘ軸方向に対して垂直な１つの方向をＺ軸方向とする。Ｘ軸方向及びＺ軸方向に対して垂直な方向をＹ軸方向とする。
【００１３】
第１方向は、例えば、エアマットレス１１０に使用者が寝た時の、頭から足への方向に対応する。Ｙ軸方向は、左右方向に対応する。Ｚ軸方向は、エアマットレス１１０の下面から上面への方向に対応する。
【００１４】
エアセル部１０は、第１部分１１Ａ及び第２部分１１Ｂを含む。第１部分１１Ａは、例えば、頭側の部分である。第２部分１１Ｂは、例えば、足側の部分である。第１部分１１Ａは、複数のエアセル１１を含む。第２部分１１Ｂは、別の複数のエアセル１１を含む。第１部分１１Ａから第２部分１１Ｂへの方向は、第１方向（Ｘ軸方向）に沿う。
【００１５】
第１サイドエッジ部２１は、高分子発泡体を含む。高分子発泡体は、例えば、ウレタンフォームなどを含む。第１サイドエッジ部２１は、多孔質である。高分子発泡体は複数の孔を含む。
【００１６】
第１サイドエッジ部２１からエアセル部１０の第１部分１１Ａへの方向は、第２方向に沿う。第２方向は、第１方向（Ｘ軸方向）と交差する。この例では、第２方向は、Ｙ軸方向に沿う。
【００１７】
第１ポンプ部３１は、複数のエアセル１１の少なくとも一部の給排気を行う。第１ポンプ部３１からエアセル部１０の第２部分１１Ｂへの方向は、第２方向（例えば、Ｙ軸方向）に沿う。第１サイドエッジ部２１から第１ポンプ部３１への方向は、第１方向（Ｘ軸方向）に沿う。
【００１８】
図２に示すように、第１ポンプ部３１は、複数のチューブ１１ｐにより、複数のエアセル１１に接続される。複数のチューブ１１ｐを介して、給排気が行われる。
【００１９】
第１ポンプ部３１から送られるエアにより、複数のエアセル１１の内圧が上昇する。第１ポンプ部３１によるエアの排出により、複数のエアセル１１の内圧が低下する。複数のエアセル１１の内圧は、例えば、エアマットレス１１０の使用者の好みに適合するように、調整可能である。
【００２０】
使用者は、エアセル部１０の上に寝る。エアセル部１０の上に使用者が横たわった状態で適切な反発力が得られるように、エアセル１１の内圧が調整される。
【００２１】
例えば、エアマットレスの使用者が要介護者などである場合、エアマットレスから起き上がることがあまり生じない。一方、使用者が健常者である場合は、エアマットレスから自分の力で起き上がる。例えば、サイドエッジ部が設けられずエアセル部１０だけが設けられる参考例がある。このような参考例において、エアセル部１０の端の上で使用者が端座位になったときに、使用者の姿勢が不安定になる場合があることが分かった。これは、エアセルが柔らかいことに加えて、エアセルの端部が曲面形状になっていて滑り落ちやすいためであると考えられる。例えば、端座位を経て起き上がろうとした場合に、不安定な姿勢になる場合があることが分かった。
【００２２】
実施形態においては、第１サイドエッジ部２１が設けられる。第１サイドエッジ部２１は、例えば、ウレタンフォームなどのクッションである。第１サイドエッジ部２１は、エアセルを含まない。このため、第１サイドエッジ部２１の上での端座位は、一般的なマットレスと同様に安定である。これにより、第１サイドエッジ部２１の上での端座位の使用者の姿勢が安定する。使用者が端座位から立ち上がろうとしたときも、使用者の姿勢は安定する。
【００２３】
実施形態によれば、より快適なエアマットレスが提供できる。
【００２４】
実施形態において、第１ポンプ部３１は足部の近傍におかれる。これにより、ポンプの動作による振動（音などを含む）が使用者の睡眠を妨げることが抑制できる。
【００２５】
実施形態において、第１サイドエッジ部２１は、第１方向及び第２方向を含む平面（例えばＸ−Ｙ平面）と交差する第３方向（例えばＺ軸方向）において、エアセル部１０と重ならない。第１サイドエッジ部２１がエアセル部１０と重ならないことで、例えば、快適な柔らかさが提供できる。
【００２６】
第１ポンプ部３１は、第３方向（例えば、Ｚ軸方向）において、エアセル部１０と重ならない。第１ポンプ部３１がエアセル部１０と重ならないことで、エアセル１１の内圧が容易に適正に制御できる。例えば、快適な柔らかさが提供できる。
【００２７】
図１に示すように、エアマットレス１１０は、第２サイドエッジ部２２をさらに含んでも良い。第２サイドエッジ部２２は、高分子発泡体（例えば、ウレタンフォームなど）を含む。第２サイドエッジ部２２は、多孔質である。第１部分１１Ａは、第２方向（例えば、Ｙ軸方向）において、第１サイドエッジ部２１と、第２サイドエッジ部２２の一部（第３部分２２Ｃ）と、の間にある。第２部分１１Ｂは、第２方向（例えば、Ｙ軸方向）において、第１ポンプ部３１と、第２サイドエッジ部の別の一部（第４部分２２Ｄ）と、の間にある。
【００２８】
第１サイドエッジ部２１及び第２サイドエッジ部２２が設けられることで、左右の両方において、使用者の端座位が安定にできる。使用者は、左右の両方から容易に立ち上がることができる。
【００２９】
第１サイドエッジ部２１の厚さを厚さＨ１（図６（ａ）参照）とする。第２サイドエッジ部２２の厚さを厚さＨ２とする（図１参照）。第１ポンプ部３１の厚さを厚さＨ３（図１参照）とする。これらの厚さは、Ｚ軸方向の長さに対応する。これらの厚さは、互いに実質的に同じで良い。これらの厚さの差は、これらの厚さの平均値の２０％以下である。エアマットレス１１０の全体の厚さが均一になり、快適な睡眠を提供し易くなる。
【００３０】
第１ポンプ部３１は、ポンプケースと、上側樹脂層と、下側樹脂層と、を含んでも良い。上側樹脂層と下側樹脂層との間のポンプケースが設けられる。第１ポンプ部３１の厚さＨ３は、ポンプケース、上側樹脂層及び下側樹脂層の合計の厚さに対応する。
【００３１】
エアセル部１０の厚さを厚さＴ１（図１参照）とする。厚さＴ１は、エアセル１１が膨らんだとき（例えば、使用者が横たわっているとき）のエアセル１１のＺ軸方向の長さに対応する。厚さＴ１は、厚さＨ１〜Ｈ３と実質的に同じで良い。厚さＴ１と厚さＨ１との差は、例えば、厚さＨ１の０．８倍以上１．２倍以下である。
【００３２】
第１サイドエッジ部２１の第２方向（Ｙ軸方向）に沿う長さ（幅Ｗ２１）は、第１ポンプ部３１の第２方向に沿う長さ（幅Ｗ３１）と実質的に同じで良い。幅Ｗ２１は、幅Ｗ３１の０．８倍以上１．２倍以下である。エアマットレス１１０の外形が、実質的に長方形になり、使いやすくなる。
【００３３】
実施形態において、複数のエアセル１１のそれぞれの幅は、実質的に同じで良い。図２に示すように、複数のエアセル１１のそれぞれの第２方向（Ｙ軸方向）に沿う長さを長さＬ１とする。複数のエアセル１１において、長さＬ１のばらつきは、２０％以下である。複数のエアセル１１の長さＬ１が実質的に同じであることにより、例えば、製造が容易になる。長さＬ１が実質的に同じになることでは、例えば、複数のエアセル１１のそれぞれの容量が同じなる。これにより、エアセル１１の内圧の制御が容易になる。
【００３４】
実施形態においては、使用者の足に対応する部分のエアセル１１の長さＬ１が、他の部分と同様である。柔らかい部分（エアセル部分）の左右の長さは、上半身から足部までで、実質的に同じ長さである。使用者の上半身の左右の幅と同様の幅で足を動かしても、快適な睡眠が提供できる。
【００３５】
複数のエアセル１１は、第２方向（Ｙ軸方向）に沿って延びる。複数のエアセル１１の１つの第２方向に沿う長さＬ１は、複数のエアセル１１のその１つの第１方向（Ｘ軸方向）に沿う長さＷ１よりも長い（図２参照）。長さＬ１は、厚さＴ１よりも長い（図２参照）。
【００３６】
図１に示すように、第１サイドエッジ部２１の第１方向（Ｘ軸方向）に沿う長さを長さＬ２１とする。第１ポンプ部３１の第１方向に沿う長さを長さＬ３１とする。長さＬ２１は、長さＬ３１よりも長いことが好ましい。長さＬ２１は、例えば、長さＬ３１の２倍以上である。第１サイドエッジ部２１は、第１ポンプ部３１よりも柔らかい。長さＬ２１が長さＬ３１よりも長いことで、エアマットレス１１０のサイド部において、柔らかい部分の領域を長くできる。快適な端座位が得られる領域を広くできる。長さＬ２１は、例えば、長さＬ３１の２０倍以下でも良い。
【００３７】
実施形態において、使用時には、図１及び図２に例示したエアセル部１０、第１サイドエッジ部２１第２サイドエッジ部２２及び第１ポンプ部３１などは、袋状のカバー部（図示しない）などに入れられる。
【００３８】
（第２実施形態）  
図３は、第２実施形態に係るエアマットレスを例示する模式的斜視図である。  
図３に示すように、実施形態に係るエアマットレス１１１は、エアセル部１０、第１サイドエッジ部２１及び第１ポンプ部３１を含む。この例では、第２サイドエッジ部２２がさらに設けられている。
【００３９】
図３に示すように、エアマットレス１１１においては、第１サイドエッジ部２１は、複数の第１サイドエッジ要素（この例では、要素２１ａ〜２１ｃ）を含む。第２サイドエッジ部２２は、複数の第２サイドエッジ要素（この例では、要素２２ａ〜２２ｄ）を含む。
【００４０】
複数の第１サイドエッジ要素は、第１サイドエッジ基材２１ｆと接合される。複数の第２サイドエッジ要素は、第２サイドエッジ基材２２ｆと接合される。第１サイドエッジ基材２１ｆ及び第２サイドエッジ基材２１ｆは、例えば、高分子発泡体（例えばウレタンフォームなど）を含む。実施形態において、「接合」は、接着または融着などを含む。
【００４１】
第１サイドエッジ基材２１ｆ及び第２サイドエッジ基材２２ｆは、例えば、伸縮性及びクッション性を有する。複数の第１サイドエッジ要素から第１サイドエッジ基材２１ｆへの方向は、Ｚ軸方向に沿う。複数の第２サイドエッジ要素から第２サイドエッジ基材２２ｆへの方向は、Ｚ軸方向に沿う。
【００４２】
複数の第１サイドエッジ要素の２つの互いの角度θ１（図３参照）は、変更可能である。複数の第２サイドエッジ要素の２つの互いの角度θ２（図３参照）は、変更可能である。
【００４３】
図４は、第２実施形態に係るエアマットレスの使用状態を例示する模式的側面図である。  
図４に示すように、エアマットレス１１１は、ベッド７０の上に置かれても良い。ベッド７０は、例えば、電動ベッドである。ベッド７０は、例えば、背ボトム７０ａ（back section）、腰ボトム７０ｂ（hip section）、膝ボトム７０ｃ(upper leg section)、及び、脚ボトム７０ｄ(lower leg section)などを含む。これらのボトムは、例えば、フレーム７５により支持される。これらのボトムの間の角度は、変更可能である。
【００４４】
このようなベッド７０の上にエアマットレス１１１が置かれる場合がある。エアマットレス１１１及びベッド７０は、電動家具３１０に含まれる。
【００４５】
本実施形態においては、サイドエッジ部が複数のサイドエッジ要素を含み、複数のサイドエッジ要素の２つの互いの角度（角度θ１及び角度θ２など）が変更可能である。このようなエアマットレス１１１がベッド７０の上に置かれ、ベッド７０のボトム部が変形したときに、エアマットレス１１１は、ボトム部の変形に追従し易くなる。例えば、サイドエッジ部に加わる力が分散され、サイドエッジ部が壊れることが抑制できる。
【００４６】
（第３実施形態）  
図５は、第３実施形態に係るエアマットレスを例示する模式的斜視図である。  
図５に示すように、実施形態に係るエアマットレス１１２は、エアセル部１０、第１サイドエッジ部２１及び第１ポンプ部３１に加えて、第２サイドエッジ部２２及び第２ポンプ部３２を含む。
【００４７】
第２サイドエッジ部２２は、高分子発泡体（例えばウレタンフォームなど）を含む。第２ポンプ部３２は、複数のエアセル１１の少なくとも一部の給排気を行う。第２ポンプ部３２と、複数のエアセル１１の少なくとも一部と、は、図２に例示したチューブ１１ｐなどと同様のチューブ（図５では省略）により接続される。
【００４８】
エアセル部１０の第１部分１１Ａは、第２方向（例えばＹ軸方向）において、第１サイドエッジ部２１と第２サイドエッジ部２２との間にある。エアセル部１０の第２部分１１Ｂは、第２方向（例えば、Ｙ軸方向）において、第１ポンプ部３１と第２ポンプ部３２との間にある。第２サイドエッジ部２２から第２ポンプ部３２への方向は、第１方向（Ｘ軸方向）に沿う。
【００４９】
複数のポンプ部を設けることで、複数のエアセル１１の内圧をより適切に制御し易くなる。
【００５０】
（第４実施形態）  
図６（ａ）〜図６（ｄ）は、第４実施形態に係るエアマットレスの一部を例示する模式的斜視図である。  
これらの図は、チューブ１１ｐの状態を例示している。チューブ１１ｐは、複数のエアセル１１の少なくとも一部と、第１ポンプ部３１と、を接続する。
【００５１】
図６（ａ）では、図を見やすくするように、複数のエアセル１１の１つが描かれている。図６（ａ）に示すように、チューブ１１ｐの少なくとも一部は、第１サイドエッジ部２１の中を通過する。
【００５２】
図６（ｂ）の例のように、例えば、第１サイドエッジ部２１は、孔２１ｈを含む。孔２１ｈは、開口部２１ｏを含む。チューブ１１ｐの少なくとも一部は、孔２１ｈ（及び開口部２１ｏ）を通過する。
【００５３】
図６（ｃ）に示す例では、第１サイドエッジ部２１は、スリット２１ｑを含む。チューブ１１ｐの少なくとも一部は、スリット２１ｑを通過する。
【００５４】
図６（ｄ）に示す例では、第１サイドエッジ部２１は、凹部２１ｒを含む。チューブ１１ｐの少なくとも一部は、凹部２１ｒの中にある。
【００５５】
チューブ１１ｐの少なくとも一部が第１サイドエッジ部２１の中を通過することにより、例えば、チューブ１１ｐの潰れまたは折れ曲がりが抑制できる。エアセル１１の内圧を安定して制御し易くなる。
【００５６】
実施形態においては、第１サイドエッジ部２１を設けることで、端座位が安定する。足部分のエアセル１１の長さＬ１が他の部分と同じなので、足を大きく動かしても快適である。使用者が健常者である場合に、特に、使いやすくなる。
【００５７】
実施形態によれば、より快適なエアマットレスが提供できる。
【００５８】
以上、具体例を参照しつつ、本発明の実施の形態について説明した。しかし、本発明は、これらの具体例に限定されるものではない。例えば、エアマットレスに含まれるエアセル、サイドエッジ部及びポンプ部などの各要素の具体的な構成に関しては、当業者が公知の範囲から適宜選択することにより本発明を同様に実施し、同様の効果を得ることができる限り、本発明の範囲に包含される。
【００５９】
各具体例のいずれか２つ以上の要素を技術的に可能な範囲で組み合わせたものも、本発明の要旨を包含する限り本発明の範囲に含まれる。
【００６０】
その他、本発明の実施形態として上述したエアマットレスを基にして、当業者が適宜設計変更して実施し得る全てのエアマットレスも、本発明の要旨を包含する限り、本発明の範囲に属する。
【００６１】
その他、本発明の思想の範疇において、当業者であれば、各種の変更例及び修正例に想到し得るものであり、それら変更例及び修正例についても本発明の範囲に属するものと了解される。
【符号の説明】
【００６２】
１０…エアセル部、  １１…エアセル、  １１Ａ、１１Ｂ…第１、第２部分、  １１ｐ…チューブ、  ２１…第１サイドエッジ部、  ２１ａ〜２１ｃ…要素、  ２１ｆ…サイドエッジ基材、  ２１ｈ…孔、  ２１ｏ…開口部、  ２１ｑ…スリット、  ２１ｒ…凹部、  ２２…第２サイドエッジ部、  ２２Ｃ…第３部分、  ２２Ｄ…第４部分、  ２２ａ〜２２ｄ…要素、  ２２ｆ…第２サイドエッジ基材、  ３１、３２…第１、第２ポンプ部、  ７０…ベッド、  ７０ａ…背ボトム、  ７０ｂ…腰ボトム、  ７０ｃ…膝ボトム、  ７０ｄ…脚ボトム、  ７５…フレーム、  θ１、θ２…角度、  １１０、１１１…エアマットレス、  ３１０…電動家具、  Ｈ１〜Ｈ３…厚さ、  Ｌ１、Ｌ２１、Ｌ３１…長さ、  Ｔ１…厚さ、  Ｗ１、Ｗ２１、Ｗ３１…幅
【図１】
2020110455.tif 000003
【図２】
2020110455.tif 000004
【図３】
2020110455.tif 000005
【図４】
2020110455.tif 000006
【図５】
2020110455.tif 000007
【図６】
2020110455.tif 000008
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
第１方向に沿って並ぶ複数のエアセルを含むエアセル部と、
高分子発泡体を含む第１サイドエッジ部であって、前記第１サイドエッジ部から前記エアセル部の第１部分への方向は、前記第１方向と交差する第２方向に沿う、前記第１サイドエッジ部と、
前記複数のエアセルの少なくとも一部の給排気を行う第１ポンプ部であって、前記第１ポンプ部から前記エアセル部の第２部分への方向は、前記第２方向に沿い、前記第１サイドエッジから前記第１ポンプ部への方向は、前記第１方向に沿う、前記第１ポンプ部と、
を備え、
前記第１ポンプ部の端部は、脚ボトムの位置にあり、前記第１サイドエッジと前記第１ポンプとの互いの角度は、ボトム部の変形に追従して変更可能であるエアマットレス。
【請求項２】
前記第１ポンプ部の端部は、膝ボトムと脚ボトムとのつなぎめに位置し、前記第１サイドエッジと前記第１ポンプとの互いの角度は、膝ボトムと脚ボトムとの角度変更に追従して変更可能である請求項１記載のエアマットレス。
【請求項３】
高分子発泡体を含む第２サイドエッジ部をさらに備え、
前記第１部分は、前記第２方向において、前記第１サイドエッジ部と、前記第２サイドエッジ部の第３部分と、の間にあり、
前記第２部分は、前記第２方向において、前記第１ポンプ部と、前記第２サイドエッジ部の第４部分と、の間にある、請求項１記載のエアマットレス。
【請求項４】
前記第２サイドエッジ部は、複数の第２サイドエッジ要素を含み、
複数の第２サイドエッジ要素の２つの互いの角度は、変更可能である、請求項３記載のエアマットレス。
【請求項５】
前記第１サイドエッジ部は、複数の第１サイドエッジ要素を含み、
複数の第１サイドエッジ要素の２つの互いの角度は、変更可能である、請求項１〜４のいずれか１つに記載のエアマットレス。
【請求項６】
前記複数のエアセルの前記少なくとも一部と前記第１ポンプとを接続するチューブをさらに備え、
前記チューブの少なくとも一部は、前記第１サイドエッジ部の中を通過する、請求項１〜５のいずれか１つに記載のエアマットレス。
【請求項７】
前記複数のエアセルの前記少なくとも一部と前記第１ポンプとを接続するチューブをさらに備え、
前記第１サイドエッジ部は凹部を含み、
前記チューブの少なくとも一部は、前記凹部の中にある、請求項１〜６のいずれか１つに記載のエアマットレス。
【請求項８】
前記第１サイドエッジ部の前記第１方向に沿う長さが、前記第１ポンプ部の前記第１方向に沿う長さの２倍以上２０倍以下である、請求項１〜７のいずれか１つに記載のエアマットレス。
【請求項９】
高分子発泡体を含む第２サイドエッジ部と、
前記複数のエアセルの少なくとも一部の給排気を行う第２ポンプ部と、
をさらに備え、
前記第１部分は、前記第２方向において、前記第１サイドエッジ部と前記第２サイドエッジ部との間にあり、
前記第２部分は、前記第２方向において、前記第１ポンプ部と前記第２ポンプ部との間にあり、
前記第２サイドエッジ部から前記第２ポンプ部への方向は、前記第１方向に沿う、請求項１記載のエアマットレス。
【請求項１０】
高分子発泡体を含む第１サイドエッジ部と、
高分子発泡体を含む第２サイドエッジ部と、
第１方向に沿って並ぶ複数のエアセルを含むエアセル部と、
を備え、
前記第１方向と交差する第２方向において、前記エアセル部は、前記第１サイドエッジ部と前記第２サイドエッジ部との間にあり、
前記第１サイドエッジ部は、複数の第１サイドエッジ要素を含み、
複数の第１サイドエッジ要素の２つの互いの角度は、変更可能であり、
前記第２サイドエッジ部は、複数の第２サイドエッジ要素を含み、
複数の第２サイドエッジ要素の２つの互いの角度は、変更可能である、エアマットレス。
【請求項１１】
第１方向に沿って並ぶ複数のエアセルを含むエアセル部と、
高分子発泡体を含む第２サイドエッジ部であって、前記第２サイドエッジ部から前記エアセル部の第１部分への方向は、前記第１方向と交差する第２方向に沿う、前記第２サイドエッジ部と、
を備え、
前記第２サイドエッジ部は、複数の第２サイドエッジ要素を含み、
複数の第２サイドエッジ要素の２つの互いの角度は、変更可能である、エアマットレス。
【請求項１２】
前記複数の第１サイドエッジ要素の２つの互いの角度は、ベッドの屈曲に追従して変更可能である、請求項５または１０記載のエアマットレス。
【請求項１３】
前記複数の第２サイドエッジ要素の２つの互いの角度は、ベッドの屈曲に追従して変更可能である、請求項４、１０または１１のいずれか１項記載のエアマットレス。
【請求項１４】
前記複数の第２サイドエッジ要素の２つの互いの角度は、膝ボトムと脚ボトムとの角度変更に追従して変更可能である、請求項４、１０または１１のいずれか１項記載のエアマットレス。
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
膝ボトム及び脚ボトムを含む電動ベッドに用いられる電動ベッド用のエアマットレスであって、
第１方向に沿って並ぶ複数のエアセルを含むエアセル部と、
高分子発泡体を含む第１サイドエッジ部であって、前記第１サイドエッジ部から前記エアセル部の第１部分への方向は、前記第１方向と交差する第２方向に沿う、前記第１サイドエッジ部と、
前記複数のエアセルの少なくとも一部の給排気を行う第１ポンプ部であって、前記第１ポンプ部から前記エアセル部の第２部分への方向は、前記第２方向に沿い、前記第１サイドエッジから前記第１ポンプ部への方向は、前記第１方向に沿う、前記第１ポンプ部と、
を備え、
前記複数のエアセル部は、前記エアマットレスの全長に亘って設けられ、
前記第１ポンプ部は、前記第１方向において前記第１サイドエッジ部と隣り合って設けられ、
前記第１サイドエッジと前記第１ポンプの長手方向との互いの角度は、前記膝ボトム及び前記脚ボトムの変形に追従して変更可能であるエアマットレス。
【請求項２】
前記第１ポンプ部の長手方向の端部は、前記膝ボトムと前記脚ボトムとのつなぎめに対応する位置にあり、前記第１サイドエッジと前記第１ポンプの長手方向との互いの角度は、前記膝ボトムと前記脚ボトムとの角度変更に追従して変更可能である請求項１記載のエアマットレス。
【請求項３】
高分子発泡体を含む第２サイドエッジ部をさらに備え、
前記第１部分は、前記第２方向において、前記第１サイドエッジ部と、前記第２サイドエッジ部の第３部分と、の間にあり、
前記第２部分は、前記第２方向において、前記第１ポンプ部と、前記第２サイドエッジ部の第４部分と、の間にある、請求項１記載のエアマットレス。
【請求項４】
前記第２サイドエッジ部は、複数の第２サイドエッジ要素を含み、
複数の第２サイドエッジ要素の２つの互いの角度は、変更可能である、請求項３記載のエアマットレス。
【請求項５】
前記第１サイドエッジ部は、複数の第１サイドエッジ要素を含み、
複数の第１サイドエッジ要素の２つの互いの角度は、変更可能である、請求項１〜４のいずれか１つに記載のエアマットレス。
【請求項６】
前記第１サイドエッジ部は、少なくとも、孔、スリット、凹部、及び、開口部のいずれか１つを含む請求項１〜５のいずれか１つに記載のエアマットレス。
【請求項７】
前記複数のエアセルの前記少なくとも一部と前記第１ポンプとを接続するチューブをさらに備え、
前記第１サイドエッジ部は凹部を含み、
前記チューブの少なくとも一部は、前記凹部の中にある、請求項１〜５のいずれか１つに記載のエアマットレス。
【請求項８】
前記第１サイドエッジ部の前記第１方向に沿う長さが、前記第１ポンプ部の前記第１方向に沿う長さの２倍以上２０倍以下である、請求項１〜７のいずれか１つに記載のエアマットレス。
【請求項９】
高分子発泡体を含む第２サイドエッジ部と、
前記複数のエアセルの少なくとも一部の給排気を行う第２ポンプ部と、
をさらに備え、
前記第１部分は、前記第２方向において、前記第１サイドエッジ部と前記第２サイドエッジ部との間にあり、
前記第２部分は、前記第２方向において、前記第１ポンプ部と前記第２ポンプ部との間にあり、
前記第２サイドエッジ部から前記第２ポンプ部への方向は、前記第１方向に沿う、請求項１記載のエアマットレス。
【請求項１０】
前記複数の第１サイドエッジ要素の２つの互いの角度は、ベッドの屈曲に追従して変更可能である、請求項５記載のエアマットレス。
【請求項１１】
前記複数の第２サイドエッジ要素の２つの互いの角度は、ベッドの屈曲に追従して変更可能である、請求項４記載のエアマットレス。
【請求項１２】
前記複数の第２サイドエッジ要素の２つの互いの角度は、膝ボトムと脚ボトムとの角度変更に追従して変更可能である、請求項４記載のエアマットレス。